(57)【要約】【課題】中点復帰式の回転スイッチの操作感触の向上及び耐久性の向上を図る。【解決手段】内部底面２１ｃにスイッチ接点３０が形成されたケース２１と、ケース２１に回転可能に組み込まれ、スイッチ接点３０と摺動接触する摺動子２７が下面に取り付けられた回転操作部材２６と、ケース２１に組み込まれた弾性部材２５と、ケース２１の上面を蓋して回転操作部材２６の上方への動きを規制するカバー２８とを備える。弾性部材２５は回転操作部材２６を中点復帰させるための弾性を有し、かつ回転操作部材２６を上方へ付勢する弾性も有する。【選択図】図２
2013131451.tif 000002
【特許請求の範囲】
【請求項１】
中点復帰式の回転スイッチであって、
内部底面にスイッチ接点が形成されたケースと、
前記ケースに回転可能に組み込まれ、前記スイッチ接点と摺動接触する摺動子が下面に取り付けられた回転操作部材と、
前記ケースに組み込まれた弾性部材と、
前記ケースの上面を蓋して前記回転操作部材の上方への動きを規制するカバーとを備え、
前記弾性部材は前記回転操作部材を中点復帰させるための弾性を有し、かつ前記回転操作部材を上方へ付勢する弾性も有することを特徴とする回転スイッチ。
【請求項２】
請求項１記載の回転スイッチにおいて、
前記スイッチ接点は前記ケースの内部底面に立設された環状壁の外側に位置し、
前記回転操作部材は前記環状壁の外周に嵌め込まれる環状部と、その環状部の外周面に突設されて前記ケースの側壁に設けられた開口から外部に突出する操作突部とを有することを特徴とする回転スイッチ。
【請求項３】
請求項２記載の回転スイッチにおいて、
前記弾性部材は巻回部の両端に外周側に突出する腕部を有するねじりコイルばねとされ、
前記巻回部は前記環状壁の内側に位置して前記カバーと前記内部底面との間に収容され、
前記両腕部は前記環状壁に形成された切り欠き部及び前記回転操作部材の環状部の下面に形成されたばね受け段部にそれぞれ弾接されていることを特徴とする回転スイッチ。
【請求項４】
請求項３記載の回転スイッチにおいて、
前記両腕部のうち、前記内部底面側に位置する腕部は、前記内部底面から離れる方向に傾きを有し、前記カバー側に位置する腕部は前記カバーから離れる方向に傾きを有していることを特徴とする回転スイッチ。
【請求項５】
請求項３又は４記載の回転スイッチにおいて、
前記回転操作部材は前記両腕部及び前記摺動子によって上方に付勢されていることを特徴とする回転スイッチ。
【発明の詳細な説明】
【技術分野】
【０００１】
この発明は中点復帰式の回転スイッチに関する。
【背景技術】
【０００２】
図１４はこの種のスイッチの従来例として特許文献１に記載されているスイッチの外観を示したものであり、図１５は図１４に示したスイッチを各部に分解して示したものである。この例ではスイッチはプッシュスイッチと中点復帰式の回転スイッチを併有する複合操作型のスイッチとなっている。
【０００３】
スイッチは図１５に示したように、ケース１１と可動接点１２と駆動体１３と回転体１４とコイルばね１５とカバー１６とを備えている。
【０００４】
ケース１１は中央に環状壁１１ａを有し、環状壁１１ａ内には中央接点１７ａと周辺接点１７ｂからなるプッシュスイッチ用の第１接点１７が配設されている。環状壁１１ａと外周壁１１ｂとで挟まれた部分には共通接点１８ａ，１８ａと信号用接点１８ｂ，１８ｂからなる回転スイッチ用の第２接点１８が配設されている。
【０００５】
ケース１１の環状壁１１ａ内にはドーム形状をなす可動接点１２が載置され、さらに可動接点１２上に駆動体１３が配されてプッシュスイッチが構成される。
【０００６】
回転体１４は環状部１４ａと、環状部１４ａから側方に突出した操作突部１４ｂとを有し、ケース１１の環状壁１１ａの外周に環状部１４ａが嵌め込まれて回転可能とされる。操作突部１４ｂはケース１１の外周壁１１ｂに設けられた切り欠き部１１ｃから側方に突出される。
【０００７】
回転体１４は、その環状部１４ａの下面に図１５では隠れて見えないが摺動子を備えており、摺動子は左右２方向に延びた弾性アームの先端に第２接点１８と摺動接触する接触部を有している。
【０００８】
コイルばね１５は回転体１４の環状部１４ａの上面に設けられた溝１４ｃに巻回部１５ａが組み込まれる。コイルばね１５の両方の端部１５ｂは回転体１４の環状部１４ａに設けられた切り欠き部１４ｄに弾接（弾性押し当て力により接触）されて係止されると共に、ケース１１の外周壁１１ｂに設けられた２箇所の段部１１ｄに当接される。回転体１４の環状部１４ａにはコイルばね１５の巻回部１５ａが溝１４ｃから外れないように係止突起１４ｅが設けられている。
【０００９】
カバー１６は回転体１４の上方への移動を規制するようにケース１１に脚部１６ａがかしめられて取り付けられる。カバー１６の中央に設けられた開口部１６ｂには駆動体１３の上面が露出し、押圧操作可能とされる。
【先行技術文献】
【特許文献】
【００１０】
【特許文献１】特許第４６３５７７４号公報
【発明の概要】
【発明が解決しようとする課題】
【００１１】
上述したような構成を有するスイッチにおいて、回転スイッチ部分の構成に着目すると、ケース１１に設けられている第２接点１８と摺動接触する摺動子は回転体１４の環状部１４ａの周方向の一箇所に取り付けられているため、環状部１４ａはこの摺動子が取り付けられている部分のみ、第２接点１８と弾接する摺動子の反力を受けることになり、つまりケース１１に対して回転体１４を上方へ移動させる方向の力が働くことになる。
【００１２】
この結果、ケース１１に対して回転体１４が傾くといった状況が発生し、これにより回転操作時の感触が悪化し、また傾いて回転体１４が回転動作することにより、回転体１４とケース１１との良好な摺動状態が阻害され、偏摩耗等を誘発して耐久性が悪化するといった問題があった。
【００１３】
この発明の目的はこのような問題に鑑み、良好な回転操作感触が得られるようにし、さらに耐久性の向上を図ることができる回転スイッチを提供することにある。
【課題を解決するための手段】
【００１４】
請求項１の発明によれば、中点復帰式の回転スイッチは、内部底面にスイッチ接点が形成されたケースと、ケースに回転可能に組み込まれ、スイッチ接点と摺動接触する摺動子が下面に取り付けられた回転操作部材と、ケースに組み込まれた弾性部材と、ケースの上面を蓋して回転操作部材の上方への動きを規制するカバーとを備え、弾性部材は回転操作部材を中点復帰させるための弾性を有し、かつ回転操作部材を上方へ付勢する弾性も有する。
【００１５】
請求項２の発明では請求項１の発明において、スイッチ接点はケースの内部底面に立設された環状壁の外側に位置し、回転操作部材は前記環状壁の外周に嵌め込まれる環状部と、その環状部の外周面に突設されてケースの側壁に設けられた開口から外部に突出する操作突部とを有する。
【００１６】
請求項３の発明では請求項２の発明において、弾性部材は巻回部の両端に外周側に突出する腕部を有するねじりコイルばねとされ、巻回部は前記環状壁の内側に位置してカバーと前記内部底面との間に収容され、前記両腕部は前記環状壁に形成された切り欠き部及び回転操作部材の環状部の下面に形成されたばね受け段部にそれぞれ弾接（弾性押し当て力により接触）される。
【００１７】
請求項４の発明では請求項３の発明において、前記両腕部のうち、前記内部底面側に位置する腕部は、前記内部底面から離れる方向に傾きを有し、カバー側に位置する腕部はカバーから離れる方向に傾きを有する。
【００１８】
請求項５の発明では請求項３又は４の発明において、回転操作部材は前記両腕部及び摺動子によって上方に付勢される。
【発明の効果】
【００１９】
この発明によれば、ケースに回転可能に組み込まれ、下面にスイッチ接点と摺動接触する摺動子が取り付けられた回転操作部材は弾性部材によって上方に付勢されるため、従来のようにケースに対して回転操作部材が傾くといった状況を回避することができ、よって良好な回転操作感覚を得ることができ、さらに耐久性の向上を図ることができる。
【図面の簡単な説明】
【００２０】
【図１】Ａはこの発明による回転スイッチの一実施例の外観を示す斜視図、Ｂはその平面図。
【図２】図１ＢのＣ−Ｃ線拡大断面図。
【図３】図１に示した回転スイッチの分解斜視図（斜め上から見た状態）。
【図４】図１に示した回転スイッチの分解斜視図（斜め下から見た状態）。
【図５】Ａはケースの平面図、Ｂはケースにインサート成形されているスイッチ接点の詳細を示す図。
【図６】Ａは弾性部材の平面図、Ｂはその正面図、ＣはＢが圧縮された状態を示す正面図。
【図７】図１に示した回転スイッチの組み立てを説明するための図。
【図８】ケースに弾性部材が組み込まれた状態を示す斜視図。
【図９】カバーを取り付ける前の組み立て状態を示す斜視図。
【図１０】Ａは摺動子が取り付けられた回転操作部材と弾性部材の関係を説明するための底面図、Ｂはその斜視図。
【図１１】図１に示した回転スイッチの動作を説明するための図、Ａは中点復帰状態、Ｂは左３０度回転状態。
【図１２】Ａは弾性部材の変形例を示す正面図、Ｂはその平面図、Ｃはその側面図。
【図１３】図１２に示した弾性部材がケースに組み込まれた状態を示す斜視図。
【図１４】従来のスイッチの外観を示す斜視図。
【図１５】図１４に示したスイッチの分解斜視図。
【発明を実施するための形態】
【００２１】
この発明の実施形態を図面を参照して実施例により説明する。
【００２２】
図１はこの発明による中点復帰式の回転スイッチの一実施例の外観を示したものであり、図２はその断面構造を示したものである。また、図３及び図４は各部に分解して示したものである。まず、図３及び図４を参照して各部の構成について説明する。
【００２３】
回転スイッチはこの例では中央にプッシュスイッチを備えた構成となっており、ケース２１と第１の可動接点２２と第２の可動接点２３と粘着シート２４と弾性部材２５と回転操作部材２６と摺動子２７とカバー２８とを備えている。
【００２４】
ケース２１は樹脂製とされて上方が開放された形状とされており、高さが低い側壁２１ａによって外周が囲まれている。側壁２１ａの一部は切り欠かれ、開口２１ｂが形成されている。側壁２１ａの内周面は円形をなし、これによりケース２１は円形の内部底面２１ｃを有するものとなっている。内部底面２１ｃには環状壁２１ｄが立設され、さらに環状壁２１ｄの内側に環状壁２１ｄより低い環状段部２１ｅが形成されている。環状壁２１ｄはその周の一部が切り欠かれており、この環状壁２１ｄの切り欠き部２１ｆの位置は側壁２１ａに形成されている開口２１ｂの位置と一致されている。
【００２５】
ケース２１の内部底面２１ｃにはプッシュスイッチ用のスイッチ接点と回転スイッチ用のスイッチ接点が形成されている。これらスイッチ接点はこの例ではケース２１にインサート成形されて形成されている。図５Ａはケース２１に形成されているスイッチ接点の詳細を示したものであり、図５Ｂはケース２１にインサートされているスイッチ接点のみを示したものである。なお、図５Ａではスイッチ接点にクロスハッチングを施している。
【００２６】
回転スイッチ用のスイッチ接点３０はケース２１の環状壁２１ｄの外側に配置されており、信号用接点３１〜３４と共通接点（グランド接点）３５，３６とよりなる。共通接点３５，３６は環状壁２１ｄと側壁２１ａとの間の環状領域における切り欠き部２１ｆ、開口２１ｂが位置する側と反対側の半円部の周方向両端に位置されており、これら共通接点３５，３６の間の領域に信号用接点３１〜３４が位置されている。信号用接点３１，３２は図５Ａに示したように、それぞれ信号用接点３３，３４の内周側に位置する部分と、信号用接点３３，３４と共通接点３５，３６との間に位置する部分を備えている。なお、信号用接点３１，３３及び共通接点３５と信号用接点３２，３４及び共通接点３６は環状壁２１ｄの円形中心を通る中心線に対して線対称となるように配置されている。
【００２７】
一方、プッシュスイッチ用のスイッチ接点４０はケース２１の環状段部２１ｅの内側に配置されており、中央接点４１と周辺接点４２〜４５とよりなる。中央接点４１は環状段部２１ｅの円形中心に位置し、その中央には１段高い段部４１ｂが形成されている。周辺接点４２，４３は環状段部２１ｅの内周面の互いに対向する位置に形成された切り欠き２１ｇにそれぞれ位置されている。周辺接点４４，４５は周辺接点４２，４３と９０度ずれた位置に位置されている。これら周辺接点４４，４５が位置する部分の周方向両側には環状段部２１ｅより１段低い段部２１ｈが形成されている。なお、周辺接点４４，４５には１段高い段部４４ｂ，４５ｂが中央接点４１の段部４１ｂと同じ高さとされて形成されている。
【００２８】
回転スイッチ用のスイッチ接点３０の共通接点３５と、プッシュスイッチ用のスイッチ接点４０の周辺接点４４，４５は図５Ｂに示したように、この例では一体形成されている。信号用接点３１〜３４、共通接点３５，３６、中央接点４１及び周辺接点４２，４３はそれぞれケース２１の側壁２１ａの外面に導出されて、その導出部分によって端子３１ａ〜３６ａ，４１ａ〜４３ａが形成されている。
【００２９】
プッシュスイッチはこの例では２段スイッチとされ、第１の可動接点２２と第２の可動接点２３とを用いる。これら可動接点２２，２３は弾性金属板よりなり、ドーム形状をなすものとされる。なお、第１の可動接点２２はこの例ではその頂部にへこみ２２ａを有し、へこみ２２ａを挟んで略半円形状の穴２２ｂが２つ形成されたものとなっている。
【００３０】
弾性部材２５は巻回部２５ａの両端に外周側に突出する腕部２５ｂ，２５ｃを有するねじりコイルばねとされる。図６はこの弾性部材２５の形状を示したものであり、巻回部２５ａはほぼ１巻き＋3/4巻き、巻回されている。
【００３１】
腕部２５ｂ，２５ｃは図６Ａに示したように径方向に突出されると共に、図６Ｂに示したようにねじりコイルばねの軸心方向において傾きを有するものとなっている。図６Ｂにおいて下側に位置する腕部２５ｂは上方に向う傾きを有し、その傾き部分に続く先端部はほぼ水平とされている。一方、上側に位置する腕部２５ｃは下方に向う傾きを有するものとされる。なお、図６ｃは弾性部材２５が圧縮された状態を示している。
【００３２】
回転操作部材２６は樹脂製とされ、環状部２６ａと、その環状部２６ａの外周面から突出形成された操作突部２６ｂとを有する。環状部２６ａの上面には全周に渡って浅い溝２６ｃが形成されている。環状部２６ａの下面の操作突部２６ｂが突設されている部分を挟む両側における内周側部分には１段低い凹部がそれぞれ形成され、これら凹部によってばね受け段部２６ｄが構成されている。また、操作突部２６ｂが突設されている側と反対側の環状部２６ａは下面が掘り込まれた形状とされて厚さが薄くされており、この部分は摺動子取り付け部２６ｅとされる。摺動子取り付け部２６ｅにはボス２６ｆが２本突設されている。
【００３３】
摺動子２７は良導電性及び弾性を有する金属製とされ、中央部２７ａから左右２方向に円弧状をなして延びた各一対のアーム２７ｂを有するものとされる。各アーム２７ｂの先端には曲げ形成された接触部２７ｃが設けられている。中央部２７ａには回転操作部材２６の２本のボス２６ｆが挿入される取り付け穴２７ｄが２つ形成されている。
【００３４】
カバー２８は金属板よりなり、中央に円形の開口２８ａが形成された平板部２８ｂと、その平板部２８ｂの４隅から折り曲げ形成された４つの脚部２８ｃを有するものとなっている。各脚部２８ｃには係止窓２８ｄが形成されている。
【００３５】
次に、各部の組み立てについて説明する。
【００３６】
ケース２１の環状段部２１ｅ内には第２の可動接点２３が配され、さらにその上に第１の可動接点２２が配される。第２の可動接点２３の周縁部は周辺接点４４，４５上に載置される。第１の可動接点２２は周縁部が段部２１ｈ上に位置されると共に、周縁部の互いに対向する位置に突出形成された突出部２２ｃが周辺接点４２，４３上に載置される。第１の可動接点２２上には図７に示したように粘着シート２４が被され、粘着シート２４の周縁部は環状段部２１ｅの上面に粘着固定される。これにより、第１及び第２の可動接点２２，２３は環状段部２１ｅ内に収容位置決めされる。
【００３７】
弾性部材２５は図７に示したように、その巻回部２５ａがケース２１の環状壁２１ｄと環状段部２１ｅとの間に位置するように組み込まれる。次に、摺動子２７が取り付けられた回転操作部材２６がケース２１に組み込まれる。摺動子２７の回転操作部材２６への取り付けは、回転操作部材２６の２本のボス２６ｆを摺動子２７の取り付け穴２７ｄに挿通し、ボス２６ｆの先端を熱かしめすることによって行われる。摺動子２７は回転操作部材２６の環状部２６ａの下面の摺動子取り付け部２６ｅに位置される。なお、図７では摺動子２７の図示を省略している。
【００３８】
回転操作部材２６はその環状部２６ａがケース２１の環状壁２１ｄの外周に嵌め込まれて組み込まれ、回転可能にケース２１に取り付けられる。この際、図８に示したように弾性部材２５を巻回部２５ａの軸心方向に圧縮すると共に、巻回方向にも力を加えて両腕部２５ｂ，２５ｃが互いに近づく方向に撓ませ、両腕部２５ｂ，２５ｃを環状壁２１ｄの切り欠き部２１ｆに弾接させた状態で回転操作部材２６を組み込む。
【００３９】
図９はこのようにして回転操作部材２６が組み込まれた状態を示したものであり、弾性部材２５の両腕部２５ｂ，２５ｃはその根元側部分がケース２１の環状壁２１ｄの切り欠き部２１ｆに弾接されると共に、先端側部分が回転操作部材２６の環状部２６ａの下面に設けられたばね受け段部２６ｄに位置されてばね受け段部２６ｄに係止されると共に弾接される。
【００４０】
図１０はこのようにして取り付けられた回転操作部材２６と弾性部材２５の弾接係止状態を示したものであり、弾性部材２５の両腕部２５ｂ，２５ｃはばね受け段部２６ｄの側壁に当接して係止される。また、両腕部２５ｂ，２５ｃは巻回部２５ａの軸心方向においてばね受け段部２６ｄと弾接される。
【００４１】
最後にカバー２８が取り付けられて図１及び図２に示した回転スイッチが完成する。カバー２８のケース２１への取り付けは、カバー２８の４つの脚部２８ｃの係止窓２８ｄに、ケース２１の側壁２１ａの外周面に形成されて係止爪２１ｉを位置させて係止することにより行われる。
【００４２】
カバー２８を取り付けることにより、ケース２１の上面は蓋され、粘着シート２５が被された第１の可動接点２２はカバー２８の開口２８ａに位置される。回転操作部材２６の環状部２６ａは図２に示したようにカバー２８と当接して上方への動きが規制される。弾性部材２５の巻回部２５ａはカバー２８とケース２１の内部底面２１ｃとの間に収容される。回転操作部材２６の操作突部２６ｂは図１に示したようにケース２１の側壁２１ａに形成された開口２１ｂから外部に突出される。なお、回転操作部材２６の環状部２６ａの上面にはカバー２８との摩擦抵抗を低減すべく、溝２６ｃが形成されて接触面積の低減が図られているが、さらに摩擦抵抗を低減すべく、グリース等を塗布するのが好ましい。更なる効果として、溝２６ｃに塗布されたグリースは、溝２６ｃ内に長期間保持されるため、回転動作による耐久性が更に向上する。また、別の実施例として上記より耐久性効果が低いが、溝構造ではなく凸構造でも構わない。
【００４３】
上記のような構成において、弾性部材２５は回転操作部材２６を中点復帰させる弾性を有すると共に、回転操作部材２６を上方へ、つまりカバー２８側へ付勢する弾性も有するものとなっている。以下、この点について、さらに説明する。
【００４４】
弾性部材２５の一方の腕部２５ｂは、ケース２１に組み込まれた状態では内部底面２１ｃ側に位置し、内部底面２１ｃから離れる方向の、即ち上方に向かう方向の傾きを有している。これに対し、他方の腕部２５ｃは、カバー２８側に位置し、カバー２８から離れる方向の、即ち下方に向かう方向の傾きを有している。このような傾きを両腕部２５ｂ，２５ｃがそれぞれ有することにより、両腕部２５ｂ，２５ｃは回転操作部材２６のばね受け段部２６ｄに図１０に示したようにそれぞれ高さが合って位置できるものとなっている。そして、カバー２８によって回転操作部材２６が抑えられることにより、両腕部２５ｂ，２５ｃはばね受け段部２６ｄとそれぞれ弾接し、これにより回転操作部材２６は両腕部２５ｂ，２５ｃによって上方に（カバー２８側に）付勢されることになる。なお、上方に向かう傾きを有する腕部２５ｂは、その傾き部分に続く先端部がほぼ水平とされているため、その水平部分がばね受け段部２６ｄと弾接することになる。
【００４５】
このように、この例では回転操作部材２６は弾性部材２５の両腕部２５ｂ，２５ｃと摺動子２７の３点で支持される構造となり、スイッチ接点３０と弾接する摺動子２７の反力と両腕部２５ｂ，２５ｃとによって回転操作部材２６は上方に付勢されるものとなっている。従って、ケース２１に対して回転操作部材２６が傾くといったことは発生せず、良好な回転操作感触を得ることができる。また、回転操作部材２６が傾いて回転するといったことが発生しないため、偏摩耗等が発生せず、その点で耐久性の向上を図ることができる。
【００４６】
以下、回転スイッチの動作について説明する。
【００４７】
図１１Ａは回転操作部材２６が中点に位置する状態を示したものである。この状態では摺動子２７の左右のアーム２７ｂの接触部２７ｃは共通接点３５，３６上に位置している。
【００４８】
回転操作部材２６の操作突部２６ｂが操作され、回転操作部材２６が図１１Ｂに示したように例えば時計周りに回転操作されると、弾性部材２５の一方の腕部２５ｃはばね受け段部２６ｄの側壁により回転移動される。他方の腕部２５ｂはケース２１の切り欠き部２１ｆに弾接された状態を維持しているため、弾性部材２５はその巻回方向に圧縮される。操作力を解除すると、弾性部材２５の弾性復元力により回転操作部材２６は図１１Ａに示した元の位置に回転復帰する。
【００４９】
回転操作部材２６に取り付けられた摺動子２７はケース２１に形成されているスイッチ接点３０と摺動接触し、回転角度に応じてスイッチ接点３０がオン／オフされる。
【００５０】
中立状態では共通接点３５，３６の端子３５ａ，３６ａ間がオンであり、端子３５ａ，３６ａと信号用接点３１〜３４の端子３１ａ〜３４ａとの間はオフとなる。回転操作部材２６が時計周りに回転すると、最初に端子３２ａ，３５ａ間がオンとなり、次に端子３２ａ，３５ａ間及び端子３４ａ，３５ａ間の両方がオンとなる。回転操作部材２６が反時計回りに回転すると、最初に端子３１ａ，３６ａ間がオンとなり、次に端子３１ａ，３６ａ間及び３３ａ，３６ａ間の両方がオンとなる。
【００５１】
一方、第１及び第２の可動接点２２，２３を備えるプッシュスイッチを押圧操作すると、まず、第１の可動接点２２が反転し、次に第２の可動接点２３が反転する。第１の可動接点２２が反転することにより、第１の可動接点２２と第２の可動接点２３が接触し、これにより端子４２ａ，４３ａと端子３５ａ間がオンとなる。第２の可動接点２３が反転することにより、端子４２ａ，４３ａと端子３５ａ間に加え、さらに端子４１ａ，３５ａ間がオンとなる。押圧操作力を解除すると、第１及び第２の可動接点２２，２３は元の状態に弾性復帰する。
【００５２】
以上説明したように、この例では回転スイッチは２段式のプッシュスイッチを備えたものとなっているが、プッシュスイッチはなくてもよい。
【００５３】
上述した例では弾性部材２５はねじりコイルばねとされているが、弾性部材２５はこれに限らず、他の形状のものであってもよい。図１２はその一例を示したものである。この例では弾性部材５１はばね線材よりなり、Ｃ字状をなす基部５１ａと、その基部５１ａの両端から延長形成された腕部５１ｂ，５１ｃを有するものとなっている。
【００５４】
図１３は弾性部材５１がケース２１’に組み込まれた状態を示したものであり、腕部５１ｂ，５１ｃは図１３に示したようにケース２１’の内部底面２１ｃから離れる方向（上方に向かう方向）の傾きを有するものとなっている。このような弾性部材５１によっても回転操作部材２６を中点復帰させることができ、かつ回転操作部材２６を上方へ、つまりカバー２８側へ付勢することができる。なお、この例では弾性部材５１の基部５１が浮き上がらないように図１３に示したように押さえ２１ｊが必要となる。押さえ２１ｊは環状壁２１ｄの内周面に突出形成される。
【符号の説明】
【００５５】
１１  ケース                          １１ａ  環状壁
１１ｂ  外周壁                        １１ｃ  切り欠き部
１１ｄ  段部                          １２  可動接点
１３  駆動体                          １４  回転体
１４ａ  環状部                        １４ｂ  操作突部
１４ｃ  溝                            １４ｄ  切り欠き部
１４ｅ  係止突起                      １５  コイルばね
１５ａ  巻回部                        １５ｂ  端部
１６  カバー                          １６ａ  脚部
１６ｂ  開口部                        １７  第１接点
１７ａ  中央接点                      １７ｂ  周辺接点
１８  第２接点                        １８ａ  共通接点
１８ｂ  信号用接点                    ２１，２１’  ケース
２１ａ  側壁                          ２１ｂ  開口
２１ｃ  内部底面                      ２１ｄ  環状壁
２１ｅ  環状段部                      ２１ｆ  切り欠き部
２１ｇ  切り欠き                      ２１ｈ  段部
２１ｉ  係止爪                        ２１ｊ  押さえ
２２  第１の可動接点                  ２２ａ  へこみ
２２ｂ  穴                            ２２ｃ  突出部
２３  第２の可動接点                  ２４  粘着シート
２５  弾性部材                        ２５ａ  巻回部
２５ｂ，２５ｃ  腕部                  ２６  回転操作部材
２６ａ  環状部                        ２６ｂ  操作突部
２６ｃ  溝                            ２６ｄ  ばね受け段部
２６ｅ  摺動子取り付け部              ２６ｆ  ボス
２７  摺動子                          ２７ａ  中央部
２７ｂ  アーム                        ２７ｃ  接触部
２７ｄ  取り付け穴                    ２８  カバー
２８ａ  開口                          ２８ｂ  平板部
２８ｃ  脚部                          ２８ｄ  係止窓
３０  スイッチ接点                    ３１〜３４  信号用接点
３５，３６  共通接点                  ３１ａ〜３６ａ  端子
４０  スイッチ接点                    ４１  中央接点
４２〜４５  周辺接点                  ４１ａ〜４３ａ  端子
４１ｂ，４４ｂ，４５ｂ  段部          ５１  弾性部材
５１ａ  基部                          ５１ｂ，５１ｃ  脚部
【図１】
2013131451.tif 000003
【図２】
2013131451.tif 000004
【図３】
2013131451.tif 000005
【図４】
2013131451.tif 000006
【図５】
2013131451.tif 000007
【図６】
2013131451.tif 000008
【図７】
2013131451.tif 000009
【図８】
2013131451.tif 000010
【図９】
2013131451.tif 000011
【図１０】
2013131451.tif 000012
【図１１】
2013131451.tif 000013
【図１２】
2013131451.tif 000014
【図１３】
2013131451.tif 000015
【図１４】
2013131451.tif 000016
【図１５】
2013131451.tif 000017